(57)【要約】【課題】図書検索システムから得られる検索履歴に含まれる図書情報を、図書検索システム以外で利用することができる図書情報利用システムを提供する。【解決手段】図書情報利用システムは、ユーザが所持するＩＣカード１と、図書検索端末２と、図書検索端末２とネットワーク４を介して接続された図書検索Ｗｅｂサーバ３と、ＩＣカード１に記憶された図書情報を利用する図書情報利用装置５とから構成される。ユーザが図書検索端末２を利用して図書を検索すると、図書情報の一覧である検索履歴が図書検索端末２に送信され、検索履歴の中からユーザが希望する図書の図書情報が、ユーザが所持するＩＣカード１に記憶される。図書情報をＩＣカード１に記憶することで、ユーザは図書情報をオフラインで持ち運ぶことが可能になり、書店に設置される図書発注端末などの様々な図書情報利用装置５で図書情報を利用できるようになる。【選択図】図１
2008052654.tif 000002
【特許請求の範囲】
【請求項１】
図書検索システムの検索履歴として得られる図書情報を利用する図書情報利用システムであって、ユーザが所持するハードウェアトークンと、データベースに記憶された図書情報の中から、指定された検索条件に適合する図書情報の一覧を検索履歴として出力する図書検索サーバと、前記図書検索サーバとネットワークを介して接続され、前記図書検索サーバにアクセスし、入力された前記検索条件に基づいた前記検索履歴を前記図書検索サーバから取得し、前記図書検索サーバから取得した前記検索履歴に含まれる前記図書情報のすべて或いは一部を前記ハードウェアトークンに書き込む手段を備えた図書検索端末と、前記ハードウェアトークンに記憶された前記図書情報を読出す手段と、前記ハードウェアトークンから読み出した前記図書情報を利用した業務プロセスを実行する図書情報利用手段を備えた図書情報利用装置とから、少なくとも構成されることを特徴とする図書情報利用システム。
【請求項２】
請求項１に記載の図書情報利用システムにおいて、前記図書検索サーバは、図書館のオンライン蔵書目録であるＯＰＡＣ（Online Public Access Catalog）であること特徴とする図書情報利用システム。
【請求項３】
請求項１または請求項２に記載の図書情報利用システムにおいて、前記図書情報利用装置は、図書舘に設置される図書サービス端末で、前記図書情報利用手段は、図書の貸出し業務プロセスを実行する手段であることを特徴とする図書情報利用システム。
【請求項４】
請求項１または請求項２に記載の図書情報利用システムにおいて、前記図書情報利用装置は、書店に設置される図書発注端末で、前記図書情報利用手段は、図書を発注する業務プロセスを実行する手段であることを特徴とする図書情報利用システム。
【請求項５】
図書検索システムの検索履歴として得られる図書情報を利用する図書情報利用方法であって、ユーザが指定された検索条件に適合する図書情報の一覧を検索履歴し、検索履歴に含まれる図書情報のすべて或いは一部を、ユーザが所持するハードウェアトークンに書き込む工程と、前記ハードウェアトークンから前記図書情報を読出し、前記ハードウェアトークンから読み出した前記図書情報を利用した業務プロセスを実行する工程を含むことを特徴とする図書情報利用方法。
【発明の詳細な説明】
【技術分野】
【０００１】
本発明は、ユーザが希望する図書を検索する図書検索システムを利用することで得られる図書情報を利用するシステム及び方法に関する。
【背景技術】
【０００２】
ネットワーク技術の急速な進歩により、ネットワークを利用した様々な図書検索システムが開発されている。
【０００３】
例えば、特許文献１で開示されている図書検索システムは、図書館の図書には必ず付与されている分類番号や請求記号を用いた図書情報データベースを備え、特別な作業を必要とすることなく、遠隔地に居る利用者に対しても、図書館に実際に足を運んで書架を眺めるのと同じ利益を提供する図書検索システムが開示されている。
【０００４】
更に、特許文献２では、様々なキーワードに関連する図書を幅広く検索することができ、特に、小中学生等の児童が知りたい内容が記載された図書を的確に検索することができる図書検索システムが開示されている。
【特許文献１】特開２００４−１１０３２４号公報
【特許文献２】特開２００５−２１５７３６号公報
【発明の開示】
【発明が解決しようとする課題】
【０００５】
しかしながら、従来の図書検索システムは、図書情報が記憶されたデータベースから、ユーザの希望する図書を検索する機能のみであって、図書の検索履歴を図書検索システム以外で利用できる機能は備えられていなかった。
【０００６】
そこで、本発明は、従来の図書検索システムから得られる検索履歴に含まれる図書情報を、図書検索システム以外で利用することができる図書情報利用システム及び方法を提供することを目的とする。
【課題を解決するための手段】
【０００７】
上述した課題を解決する第１の発明は、図書検索システムの検索履歴として得られる図書情報を利用する図書情報利用システムであって、前記図書情報利用システムは、ユーザが所持するハードウェアトークンと、データベースに記憶された図書情報の中から、指定された検索条件に適合する図書情報の一覧を検索履歴として出力する図書検索サーバと、前記図書検索サーバとネットワークを介して接続され、前記図書検索サーバにアクセスし、入力された前記検索条件に基づいた前記検索履歴を前記図書検索サーバから取得し、前記図書検索サーバから取得した前記検索履歴に含まれる前記図書情報のすべて或いは一部を前記ハードウェアトークンに書き込む手段を備えた図書検索端末と、前記ハードウェアトークンに記憶された前記図書情報を読出す手段と、前記ハードウェアトークンから読み出した前記図書情報を利用した業務プロセスを実行する図書情報利用手段を備えた図書情報利用装置とから、少なくとも構成されることを特徴とする。
【０００８】
上述した第１の発明において、前記図書検索サーバは、図書館のオンライン蔵書目録であるＯＰＡＣ（Online Public Access Catalog）であることが望ましい。
【０００９】
更に、前記図書情報利用装置は、図書舘に設置される図書サービス端末で、前記図書情報利用手段は、図書の貸出し業務プロセスを実行する手段であることが望ましい。また、前記図書情報利用装置は、書店に設置される図書発注端末で、前記図書情報利用手段は、図書を発注する業務プロセスを実行する手段であることが望ましい。
【００１０】
更に、上述した課題を解決する第２の発明は、図書検索システムの検索履歴として得られる図書情報を利用する図書情報利用方法であって、ユーザが指定された検索条件に適合する図書情報の一覧を検索履歴し、検索履歴に含まれる図書情報のすべて或いは一部を、ユーザが所持するハードウェアトークンに書き込む工程と、前記ハードウェアトークンから前記図書情報を読出し、前記ハードウェアトークンから読み出した前記図書情報を利用した業務プロセスを実行する工程を含むことを特徴とする。
【００１１】
なお、本発明においてハードウェアトークンとは、外部の端末装置とデータ通信する機能を備え、内部に情報を格納する携帯可能なデバイスを意味し、詳しくは、ＩＣカード、ＵＳＢトークンおよび携帯電話などを意味する。
【発明の効果】
【００１２】
上述した本発明によれば、図書の検索履歴に含まれる図書情報をユーザが所持するハードウェアトークンに記憶することで、ユーザは図書情報をオフラインで持ち運ぶことが可能になり、様々な図書情報利用装置で図書情報を活用できるようになる。
【００１３】
更に、図書検索サーバを、図書館のオンライン蔵書目録であるＯＰＡＣ（Online Public Access Catalog）とすることで、学術書などの図書の図書情報を利用できるようになる。
【００１４】
更に、図書情報利用装置を、図書舘に設置される図書サービス端末とすることで、図書舘に来店したときに、図書の貸出し業務などの様々な図書サービスで図書情報を利用できる。また、図書情報利用装置を、書店に設置される図書発注端末とすることで、図書の発注に図書情報を利用することができる。
【発明を実施するための最良の形態】
【００１５】
ここから、本発明に係る図書情報利用システムについて、図を参照しながら詳細に説明する。図１は、図書情報利用システムを説明する図である。
【００１６】
図１に示したように、図書情報利用システムは、ユーザが所持するハードウェアトークンであるＩＣカード１と、ユーザが図書を検索するときに利用する図書検索端末２と、図書検索端末２とネットワーク４を介して接続され、図書検索端末２からの要求に従い図書を検索する図書検索Ｗｅｂサーバ３と、ＩＣカード１に記憶された図書情報を利用する図書情報利用装置５とから構成される。
【００１７】
図１において、図書検索端末２とは、図書検索Ｗｅｂサーバ３とネットワーク４を介して接続できる端末であればよく、図書館になどに設置された端末や、ユーザの自宅に設置されるパーソナルコンピュータを意味する。
【００１８】
更に、図書検索Ｗｅｂサーバ３は、ネットワーク４上に設置され、図書を検索できるＷｅｂサーバで、図書舘のオンライン蔵書目録であるＯＰＡＣ（Online Public Access Catalog）が好適であるが、本のオンライン通販を行っているＷｅｂサーバでもよい。
【００１９】
更に、図書情報利用装置５は、図書館のカウンターに設置され、図書の貸出し業務プロセスを担う図書サービス端末、或いは、書店に設置される図書発注端末など、図書情報を利用する業務プロセスを実行する装置を意味している。
【００２０】
ユーザが図書を検索するときに利用する図書検索端末２には、ＩＣカード１と通信するための手段となるリーダライタ２１が備えられている。ユーザが図書検索端末２を利用して図書を検索すると、検索条件に該当する図書の検索履歴が図書検索Ｗｅｂサーバ３から図書検索端末２に送信され、検索履歴の中からユーザが希望する図書の図書情報が、ユーザが所持するＩＣカード１に記憶される。
【００２１】
図書情報をＩＣカード１に記憶することで、ユーザは図書情報をオフラインで持ち運ぶことが可能になり、様々な図書情報利用装置５で図書情報を利用できるようになる。
【００２２】
例えば、図書館では、図書の貸出しカウンターに設置された図書貸出装置を図書情報利用装置５とすれば、ユーザが図書館に来館したときに、ユーザが自宅でＩＣカード１に記憶した図書情報を利用して、ユーザが希望する図書を速やかに貸出すことができる。
【００２３】
更に、ユーザが図書館で図書検索端末２を利用して所望する図書を検索したところ所望の図書が貸出中であったときに、カウンターに設定された図書利用情報装置５に予約を行い、予約した図書情報をＩＣカード１に記憶しておけば、自宅のＰＣに接続したリーダライタにＩＣカード１から図書情報を読み取らせて、インターネットから図書情報利用装置５アクセスして、予約した図書の一覧、あるいは既に貸出しを受けている図書の一覧を表示することが可能であり、予約した図書については、返却通知を受け取ることができる。
【００２４】
また、書店においては、書店のカウンターに設置された図書発注端末を図書情報利用装置５とすれば、ユーザが書店に来店したときに、ユーザの自宅もしくは図書舘でＩＣカード１に記憶した図書情報を利用して、ユーザが希望する図書を速やかに発注することができる。
【００２５】
図２は、図書検索Ｗｅｂサーバ３と図書検索端末２のブロック図である。図２に示したように、図書検索Ｗｅｂサーバ３には、データベース（DB:Data Base）として、様々な図書の図書情報が記憶される図書情報ＤＢ３１を備えている。
【００２６】
例えば、図書検索Ｗｅｂサーバ３がＯＰＡＣならば、この図書情報ＤＢ３１には、図書情報として、蔵書している図書ごとに、図書名に関連付けて、図書の著者、図書の発行者、図書の分類コード、図書コード（例えば、ＩＳＢＮ）、図書の概要（例えば、要約）、図書を蔵書している図書館および図書館に設置されている位置などが記憶されている。
【００２７】
更に、図書検索Ｗｅｂサーバ３には、Ｗｅｂアプリケーションとして、ユーザがアクセスするＷｅｂページを備え、図書検索端末２と図書情報ＤＢ３１間の橋渡しを行う図書検索手段３０を備えている。
【００２８】
図書検索Ｗｅｂサーバ３の図書検索手段３０は、図書検索端末２から送信された検索条件に該当する図書情報を図書情報ＤＢ３１の中から検索し、検索条件に該当する図書情報の一覧である検索履歴を図書検索端末２に送信する。
【００２９】
図２に示したように、図書検索端末２には、図書検索Ｗｅｂサーバ３にアクセスし、図書検索Ｗｅｂサーバ３で公開しているＷｅｂページを表示するソフトウェアであるブラウザ２０と、ユーザが所持するＩＣカード１に、ユーザが希望する図書の図書情報を書き込むリーダライタ２１を備えている。
【００３０】
ユーザが図書検索端末２を利用して図書を検索するとき、ユーザは図書検索Ｗｅｂサーバ３にブラウザ２０を利用してアクセスし、図書を検索する検索条件（例えば、キーワード）を入力する。
【００３１】
図書検索Ｗｅｂサーバ３の図書検索手段３０は、図書検索端末２から送信された検索条件に該当する図書情報を、図書情報ＤＢ３１の中から検索し、検索した図書情報のすべて或いは一部を検索履歴として、図書検索端末２に返信する。
【００３２】
図書検索端末２は、図書検索Ｗｅｂサーバ３から受信した検索履歴を表示し、検索履歴の中からユーザが選択した図書情報を、リーダライタ２１を利用してＩＣカード１に書き込む。
【００３３】
図３は、図書情報利用装置５のブロック図である。図３に示したように、図書情報利用装置５には、ユーザが所持するＩＣカード１から図書の検索履歴を読み出すリーダライタ５１と、ＩＣカード１から読み出した図書情報を利用する手段である図書情報利用手段５０を備える。
【００３４】
図書情報利用装置５の図書情報利用手段５０の具体的な内容は、図書情報利用装置５の種別によって異なる。例えば、図書情報利用装置５が図書館に設置されている図書サービス端末である場合には、図書サービス端末は読み出した図書情報を表示し、ユーザが希望する図書の貸出し業務プロセスを担う手段が、図書情報利用手段５０になる。
【００３５】
更に、例えば、図書情報利用装置５が書店に設置されている図書発注機である場合には、図書発注機は読み出した図書情報を表示し、ユーザが希望する図書を発注する業務プロセスを担う手段が、図書情報利用手段５０になる。
【００３６】
ここから、本発明に係る図書情報利用方法を説明するために、ＩＣカード１に記憶された図書情報を書店で利用するときの手順について説明する。図４は、図書情報をＩＣカード１に記憶する工程のフロー図で、図５は、ＩＣカード１に記憶された図書情報を書店で利用する工程のフロー図である。
【００３７】
図書情報をＩＣカード１に記憶する工程の最初のステップＳ１０は、図書検索端末２にＩＣカード１が装着されるステップである。このステップでは、ユーザが図書検索端末２に接続されたリーダライタ２１にＩＣカード１を装着し、図書検索端末２とＩＣカード１間の通信が可能になる。
【００３８】
次のステップＳ１１は、図書検索端末２を利用して、ユーザが希望する図書を検索するステップである。このステップでは、ユーザが図書検索端末２のブラウザ２０を操作して、図書検索Ｗｅｂサーバ３にアクセスし、図書検索Ｗｅｂサーバ３の図書検索手段３０を利用して、希望する図書を検索する。
【００３９】
次のステップＳ１２は、ユーザが希望する図書の図書情報をＩＣカード１に記憶するステップである。このステップでは、ステップＳ１１で得られる検索履歴の中から、ユーザが選択した図書の図書情報がＩＣカード１に記憶される。このステップをもって、図書情報をＩＣカード１に記憶する工程は終了する。
【００４０】
ＩＣカード１に記憶された図書情報を書店で利用するときの最初のステップＳ２０は、ユーザが書店に来店するステップである。このステップで、書店に来店するユーザが所持するＩＣカード１には、図４で示した工程を経て、ユーザが希望する図書の図書情報が記憶されている。
【００４１】
次のステップＳ２１は、書店に設置された図書情報利用装置５（ここでは、図書発注端末）にＩＣカード１が装着されるステップである。このステップでは、書店の店員が図書情報利用装置５（ここでは、図書発注端末）に接続されたリーダライタ５１にＩＣカード１を装着し、図書情報利用装置５（ここでは、図書発注端末）とＩＣカード１間の通信が可能になる。
【００４２】
次のステップＳ２２は、図書情報利用装置５（ここでは、図書発注端末）がＩＣカード１から図書情報を読み出すステップである。このステップでは、ステップＳ２１で装着されたＩＣカード１から、図書情報利用装置５（ここでは、図書発注端末）は図書情報を読み出し、読み出した図書情報の一部（例えば、図書名や出版社名）を表示する。
【００４３】
次のステップＳ２３は、図書情報利用装置５（ここでは、図書発注端末）が読み出した図書情報で示される図書を発注するステップである。書店の店員は、図書情報利用装置５（ここでは、図書発注端末）に表示された情報の確認をユーザに促し、ユーザが発注する図書を店員に伝達し、書店の店員は、ユーザが伝達された図書を発注する。
【００４４】
次のステップＳ２４は、ＩＣカード１に記憶された図書情報を消去するステップである。このステップでは、図書情報利用装置５（ここでは、図書発注端末）は、ＩＣカード１に記憶された図書情報の中から、ステップＳ２３で発注した図書に対応する図書情報を消去する。
【００４５】
なお、これまで述べた内容は、本発明の実施の形態の一例にしか過ぎず、図書情報利用装置５を変更することで、様々な応用が可能となる。
【００４６】
例えば、スタンドアロンで図書館内に点在するような館内案内端末を図書情報利用装置５とすれば、館内案内端末がＩＣカード１に記憶された図書情報を読み出すことで、ＩＣカードに記憶された図書情報に該当する図書が保管されている場所を、館内案内端末で表示することも可能である。
【００４７】
また、図書情報利用装置５としてユーザの自宅に設置されるＰＣを利用することができる。図６は、自宅での応用例として、図書舘に設置される図書サービス端末とＰＣとをネットワークで接続したときのシステム構成を説明するための図である。
【００４８】
図６では、図１の図書情報利用装置５を図書館に設置される図書サービス端末５ａとし、図書サービス端末５ａには、ユーザの自宅に設置されるＰＣ６がネットワーク４ａを介して接続されている。このＰＣ６には、ＩＣカード１と通信するためのリーダライタが接続されているが、図６では図示していない。
【００４９】
図６で図示したシステム構成とすることで、ユーザは自宅で図書サービスを受けることが可能となる。例えば、自宅にてＩＣカード１をＰＣ６に装着し、図書サービス端末５ａにアクセスし、ＩＣカード１から読み出した図書情報に対応する図書の貸出し状況を問合せ、ユーザが図書館に来館したときに、希望する図書が貸出可能か確認することができる。また、当然のことながら、ＩＣカード１から読み出した図書情報に対応する図書の予約を行うことも可能である。
【００５０】
更に、図書検索端末２をＰＣ６とすれば、来館する図書館に希望する図書が無い場合は、他の図書館の図書検索Ｗｅｂサーバ３（ＯＰＡＣ）で、ＩＣカード１内に記憶された検索履歴を利用して、希望する図書を検索することができる。
【図面の簡単な説明】
【００５１】
【図１】図書情報利用システムを説明する図。
【図２】図書検索Ｗｅｂサーバと図書検索端末のブロック図。
【図３】図書情報利用装置のブロック図。
【図４】図書情報をＩＣカードに記憶する工程のフロー図。
【図５】ＩＣカードに記憶された図書情報を書店で利用する工程のフロー図。
【図６】本発明の応用例を説明するための図。
【符号の説明】
【００５２】
１  ＩＣカード
２  図書検索端末
２０  ブラウザ
２１  リーダライタ
３  図書検索Ｗｅｂサーバ
３０  図書検索手段
３１  図書情報ＤＢ
４  ネットワーク
５  図書情報利用装置
５０  図書情報利用手段
５１  リーダライタ
【図１】
2008052654.tif 000003
【図２】
2008052654.tif 000004
【図３】
2008052654.tif 000005
【図４】
2008052654.tif 000006
【図５】
2008052654.tif 000007
【図６】
2008052654.tif 000008